(57)【特許請求の範囲】
【請求項１】
電力負荷に給電する発電機の駆動源からなる第１の熱源と、燃料ガスの燃焼で熱量を発生する第２の熱源と、前記第１の熱源の排熱を流体に熱交換する第１の熱交換手段と、前記第２の熱源の熱量を流体に熱交換する第２の熱交換手段と、前記流体を溜めて蓄熱する蓄熱手段と、前記流体の熱の供給を受ける熱負荷とを備えた熱交換システムの熱源選択方法であって、
前記第１の熱源からの排熱回収に基づく料金換算値から前記電力の料金換算値を減算した値と、前記第２の熱源の熱量に基づく料金換算値とを比較し、両者の大小関係により前記第１又は第２の熱源を選択して運転させることを特徴とする熱交換システムの熱源選択方法。
【請求項２】
発電効率をηe 、前記第１の熱交換手段の排熱回収効率をηh 、前記第２の熱源からの熱が前記熱負荷に供給される効率をη、前記第１の熱源に供給される燃料の料金をＡ、電力料金をＢ、前記第２の熱源に供給される燃料の料金をＣとすれば、
【数１】
0003839714.tif 000007
であるとき、前記第１の熱源を選択して運転させることを特徴とする請求項１記載の熱交換システムの熱源選択方法。
【請求項３】
前記第１の熱源側の前記料金換算値の演算情報に前記電力負荷の学習値を含むことを特徴とする請求項１記載の熱交換システムの熱源選択方法。
【請求項４】
前記第１の熱源側の前記料金換算値の演算情報に前記蓄熱手段の放熱量の予測値を含むことを特徴とする請求項１記載の熱交換システムの熱源選択方法。
【請求項５】
前記蓄熱手段の放熱量の予測値をＱL とすれば、左辺の分母を（ηh ／ηe −ＱL ）としたことを特徴とする請求項２記載の熱交換システムの熱源選択方法。
【発明の詳細な説明】
【０００１】
【発明の属する技術分野】
本発明は、発電機を駆動するエンジン等の駆動源を含む複数の熱源を用いた熱交換システムの熱源選択方法に関する。
【０００２】
【従来の技術】
従来、発電機を駆動するエンジンを熱源とし、エンジンが発生する排熱を利用するコージェネレーションシステムが知られている。この排熱回収は、駆動源のウォータージャケット部に流す冷却水や排熱回収水を熱媒として利用し、この熱媒に吸収させた熱を利用するものである。この熱媒が吸収した熱で加熱された温水を貯湯タンクに溜めて蓄熱し、又は、その熱で上水等を加熱して給湯に利用している。
【０００３】
【発明が解決しようとする課題】
ところで、従来のコージェネレーションシステムでは、電力負荷の低い時間帯に運転すると、余剰電力が電気ヒータによる加熱に当てられるため、電力損失が大きくなり、経済性が悪化することが報告されている。
【０００４】
また、排熱を流体に熱交換し、貯湯タンクに蓄熱する場合には、流体をエンジンによる熱源とは別に燃焼熱を用いたバックアップ熱源を併用し、このバックアップ熱源で発生した熱で流体を加熱して暖房負荷に対応する熱交換システムが提案されている。このような熱交換システムでは、エンジン又はバックアップ熱源の何れの選択が経済的に有利なのかが問題となる。
【０００５】
そこで、本発明は、発電を伴うエンジンの排熱や燃焼熱で熱量を得る等、質の異なるエネルギ変換における経済的な熱源選択を実現した熱交換システムの熱源選択方法を提供することを課題とする。
【０００６】
【課題を解決するための手段】
本発明の熱交換システムの熱源選択方法は、電力負荷（２）に給電する発電機（４）の駆動源からなる第１の熱源（エンジン６）と、燃料ガス（Ｇ）の燃焼で熱量を発生する第２の熱源（バーナ２８）と、前記第１の熱源の排熱を流体（熱媒１６）に熱交換する第１の熱交換手段（熱交換器１２）と、前記第２の熱源の熱量を流体（温水２２）に熱交換する第２の熱交換手段（熱交換器３０）と、前記流体を溜めて蓄熱する蓄熱手段（貯湯タンク３４）と、前記流体の熱の供給を受ける熱負荷（３８、４４）とを備えた熱交換システムの熱源選択方法であって、前記第１の熱源からの排熱回収に基づく料金換算値から前記電力の料金換算値を減算した値と、前記第２の熱源の熱量に基づく料金換算値とを比較し、両者の大小関係により前記第１又は第２の熱源を選択して運転させることを特徴とする。この場合、第１の熱源の排熱で加熱される流体と、第２の熱源の熱で加熱される流体とは、同一でもよく、又は異なるものでもよい。即ち、第１の熱源で得られた熱エネルギや電力エネルギと第２の熱源で得られた熱エネルギとを直接比較することは困難であるので、電力料金やガス料金の換算値を比較し、第１又は第２の熱源を選択して運転させれば、経済効率を高めることができる。
【０００７】
本発明の熱交換システムの熱源選択方法において、発電効率をηe 、前記第１の熱交換手段の排熱回収効率をηh 、前記第２の熱源からの熱が前記熱負荷に供給される効率をη、前記第１の熱源に供給される燃料の料金をＡ、電力料金をＢ、前記第２の熱源に供給される燃料の料金をＣとすれば、
【０００８】
【数２】
0003839714.tif 000002
【０００９】
であるとき、前記第１の熱源を選択して運転させることを特徴とする。即ち、左辺は第１の熱源に必要なガス料金と電力料金との差額であり、右辺は第２の熱源に必要なガス料金である。
【００１０】
本発明の熱交換システムの熱源選択方法において、前記第１の熱源側の前記料金換算値の演算情報に前記電力負荷の学習値を含むことを特徴とする。即ち、電力負荷は刻々と変化するので、その学習値を演算情報に取り込むことで、画一的な第１又は第２の熱源の運転の弊害を是正することができる。
【００１１】
本発明の熱交換システムの熱源選択方法において、前記第１の熱源側の前記料金換算値の演算情報に前記蓄熱手段の放熱量の予測値を含むことを特徴とする。即ち、蓄熱手段の放熱量はその蓄熱量に比例して増大するので、その予測値を演算情報に取り込むことで、蓄熱手段の放熱ロスの影響を回避して第１又は第２の熱源の選択を行うことができる。
【００１２】
本発明の熱交換システムの熱源選択方法において、前記蓄熱手段の放熱量の予測値をＱL とすれば、左辺の分母を（ηh ／ηe −ＱL ）としたことを特徴とする。このようにすれば、蓄熱手段の放熱ロスの影響を回避して第１又は第２の熱源の選択を行うことができ、選択精度を高めることができる。
【００１３】
【発明の実施の形態】
以下、本発明の実施の形態を図面に示した実施例を参照して説明する。
【００１４】
図１は、本発明が適応される熱交換システムの実施例を示している。この熱交換システムでは、電力負荷２に電力を供給する発電機４が設置され、この発電機４を駆動する駆動源としてエンジン６が設置されている。エンジン６には燃料ガスＧが制御弁８を介して供給され、燃料ガスＧを燃焼させて回転力が発生する。この回転力を受けた発電機４が電力を発生する。このような発電機４を駆動するエンジン６では、その運転時、相当な放熱を伴うので、これを熱源として使用することができる。この実施例では、エンジン６の運転制御手段としての制御部１０に発電機４側から電力負荷２の負荷情報が加えられている。また、制御弁８には制御部１０からの制御出力が加えられ、その開閉又はその開度が調整される。
【００１５】
そして、エンジン６には水冷ジャケット等の冷却手段が設置されているが、この実施例では、第１の熱交換手段である熱交換器１２でエンジン６の冷却手段が構成されている。この熱交換器１２には第１の循環路１４が形成され、この循環路１４には第１の流体として熱媒１６を循環させるとともに、この熱媒１６を強制的に循環させるためのポンプ１８が設置されている。このポンプ１８は、その運転を制御する手段でもある制御部１０によってその駆動が制御される。ポンプ１８には例えば、回転数の制御が容易なＤＣモータを駆動手段とするＤＣポンプが用いられている。
【００１６】
この循環路１４に対して第２の循環路２０が設けられ、この循環路２０には第２の流体として温水２２を循環させるとともに、その循環を強制的に行うためのポンプ２４が設置されている。このポンプ２４には例えば、回転数の制御が容易なＤＣモータを駆動手段とするＤＣポンプが用いられている。また、循環路１４、２０の間には熱媒１６と温水２２との熱交換を行い、熱媒１６が持つ熱で温水２２を加熱する第２の熱交換手段である熱交換器２６が設けられている。この熱交換器２６は、図示しないが、例えば、循環路２０側にその管径より断面積の大きい筒状部を設け、この筒状部内に温水２２と独立して熱媒１６を流す螺旋管等の放熱管を通して温水２２と熱媒１６との間で熱交換を可能にしたものである。
【００１７】
また、この実施例では、温水２２を加熱する第２の熱源、バックアップ熱源としてバーナ２８が設置されており、このバーナ２８の燃焼熱と温水２２との熱交換を行い、燃焼熱で温水２２を加熱する手段として熱交換器３０が循環路２０に設置されている。バーナ２８には、燃料ガスＧが制御弁３２を介して供給されており、制御弁３２の開閉は制御部１０によって行われ、即ち、第２の熱源であるバーナ２８の運転が制御部１０によって制御される。
【００１８】
そして、循環路２０には、加熱された温水２２の蓄熱手段として貯湯タンク３４が設置されている。ポンプ２４を駆動すれば、貯湯タンク３４の下層部側の温水２２が熱交換器２６、３０に循環し、加熱されて高温化した温水２２が貯湯タンク３４の上層部側に戻されるので、貯湯タンク３４には上層部側が高温、最下層部が最低温となる温度勾配を持つ階層蓄熱が行われる。また、この貯湯タンク３４に接続された第３の循環路３６には、暖房負荷等の熱負荷３８、温水２２を循環させるポンプ４０が設けられ、循環路３６から分岐された流路４２には給湯負荷等の熱負荷４４が存在している。この熱負荷４４は給湯等の熱消費のモデルである。この場合、貯湯タンク３４から外部に給湯として用いられた温水２２を補填するため、下層部側から貯湯タンク３４には上水が供給されるが、同様に、熱交換器２６、３０で加熱された高温の温水２２を貯湯タンク３４の上層部側に戻すことにより、上層部側が高温、最下層部が最低温となる温度勾配を持つ階層蓄熱が行われる。
【００１９】
そして、制御部１０には、制御情報として発電効率、排熱回収効率、バーナ２８のみで暖房を行った場合の効率、ＣＧＳ（コージェネレーションシステム）用ガス料金、電力料金、通常のガス料金、電力負荷学習値等の各種制御情報を入力するキーボードや外部記憶装置等を含む入力装置４６、第１の熱源であるエンジン６、第２の熱源であるバーナ２８の運転選択や、その運転状況を表示する手段として表示器４８が接続されている。
【００２０】
このような構成において、制御弁８を開いて燃料ガスＧを供給することにより、エンジン６を回転させることができる。このエンジン６の回転によって発電機４が発電を開始し、電力負荷２に電力が供給される。このとき、エンジン６が発生する熱量はポンプ１８によって循環路１４に循環する熱媒１６に伝達され、熱媒１６を加熱する。そして、ポンプ２４を運転すれば、貯湯タンク３４に上述した階層蓄熱が行われる。そして、貯湯タンク３４の温水２２は、熱的負荷３８、４４に供給される。
【００２１】
この実施例の熱交換システムでは、エンジン６を停止した状態でバーナ２８を燃焼させれば、熱交換器３０の熱交換により循環路２０の温水２２を単独で加熱することができ、エンジン６の運転と無関係に貯湯タンク３４への蓄熱、暖房負荷等の熱負荷３８、４４に熱供給を行うことができる。
【００２２】
次に、この熱交換システムの熱源選択方法の第１実施例を図２に示すフローチャートを参照して説明する。この選択方法は、電力負荷、暖房負荷、貯湯タンクの蓄熱量の実測値等を参照して第１又は第２の熱源を選択するものである。
【００２３】
そこで、ステップＳ１では、制御部１０に加えられる流量情報や温度情報等を参照して熱負荷３８、４４に代表される熱負荷があるか否かを判定し、熱負荷が存在する場合にはステップＳ２に移行し、電力負荷測定値より発電効率ηe 、排熱回収効率ηh を演算により求める。電力負荷測定値は、発電機４から電力負荷２に加えられる電力、電力負荷２の消費電力であり、制御部１０に加えられている。この場合、図示しないが、電力負荷２側から消費電力の値を制御部１０に加えてもよい。そこで、発電効率ηe は、燃料ガスＧ、この実施例の場合、ＣＧＳ（コージェネレーションシステム）用ガスの消費量に対する発電機４の発電出力であり、また、排熱回収効率ηh は、ＣＧＳ用ガスの消費量に対する熱媒１６の回収吸熱量である。即ち、発電効率ηe は、ＣＧＳ用ガスがどれだけ電力に変換されたか、排熱回収効率ηh は、ＣＧＳ用ガスがどれだけ熱回収されたかを示しており、これら効率ηe 、ηh と負荷率との関係を図３に示す。この場合、電力負荷２から負荷率を求め、この負荷率は、発電出力に対する電力負荷の割合であって、実験により求めることができる。負荷率が上昇すれば、効率ηe 、ηh の各値が近付くことになる。
【００２４】
そして、各効率ηe 、ηh の演算の後、ステップＳ３では、次式の演算処理を実行する。
【００２５】
【数３】
0003839714.tif 000003
【００２６】
ただし、式（２）において、
ηe ：発電効率
ηh ：排熱回収効率
ηBU：バーナ２８のみで暖房を行う場合の効率（バックアップ熱量効率）
Ａ：ＣＧＳ用ガス料金（円／ｋＷｈ）
Ｂ：電力料金（円／ｋＷｈ）
Ｃ：バックアップ用ガス料金（円／ｋＷｈ）
である。
【００２７】
式（２）において、（１／ηe ）×Ａ＝Ａ／ηe は、発電効率ηe が加味された電力１（ｋＷｈ）当たりのＣＧＳ用ガス料金を表し、｛（１／ηe ）×Ａ−Ｂ｝は、電力１（ｋＷｈ）当たりのＣＧＳ用ガス料金と電力１（ｋＷｈ）当たりの電力料金との差額である。（ηh ／ηe ）は、発電効率ηe に対する排熱回収効率ηh のエネルギ比率である。そこで、左辺は、コージェネレーションシステムで１ｋＷｈに相当する熱量を実現するに必要なエネルギの価額を示している（コージェネレーションシステムの発電電力が電力会社の電力と同一であることを条件としている）。また、右辺は、バックアップ熱源であるバーナ２８で１ｋＷｈに相当する熱量を実現するに必要なエネルギの価額である。
【００２８】
このような価額の比較に基づき、左辺の値が右辺の値より小さい場合には、ステップＳ４に移行してエンジン６が選択されて起動され、左辺の値が右辺の値より大きい場合には、ステップＳ５に移行してバーナ２８が選択されて点火されることになる。
【００２９】
この実施例では、バックアップ熱源であるバーナ２８のみで暖房を行った場合の効率ηBUを用いているが、このような効率ηBUを包括的に含む第２の熱源であるバーナ２８の熱が熱負荷３８、４４に供給される効率をηとして用いてもよい。
【００３０】
そして、第１実施例の熱源選択において、暖房需要（暖房熱量＞排熱量）が発生したとき、式（２）の条件を満たす場合のみ、第１の熱源であるエンジン６を運転させてもよく、このようにすればより経済的な熱源運転ができる。
【００３１】
また、暖房負荷（暖房熱量＜排熱量）が発生した場合、給湯負荷の予測値を演算情報に用いてもよい。この場合、式（２）に給湯負荷が発生する時刻（予測値）までに貯湯タンク３４での放熱量の予測値ＱL を演算情報に用いると、式（２）は、次のようになる。
【００３２】
【数４】
0003839714.tif 000004
【００３３】
このような式（３）を用いて左辺の価額と右辺の価額との大小関係から、エンジン６かバーナ２８かの運転を選択すれば、経済効率の高い運転形態を実現することができる。
【００３４】
次に、図４に示すフローチャートを参照して熱交換システムの熱源選択方法の第２実施例を説明する。この選択方法では、電力負荷２の学習値を参照して熱源の選択制御を実現したものである。
【００３５】
ステップＳ１１では、上述した制御と同様に、制御部１０に加えられる流量情報や温度情報等を参照して熱負荷３８、４４に代表される熱負荷があるか否かを判定し、熱負荷が存在する場合にはステップＳ１２に移行し、電力負荷学習値Ｅi より各時間の予想発電効率ηei、予想排熱回収効率ηhiを求める。
【００３６】
この場合、電力負荷２の学習値Ｅi は、例えば、１時間毎の学習値であって、数時間運転したときのランニングコストメリットが得られるかを予測するものであり、横軸に時間情報ｉ＝１、２、３・・・・ｎ、縦軸に電力負荷学習値Ｅi を取ると、その推移は例えば、図５に示すようになる。
【００３７】
そして、予想発電効率ηeiは、燃料ガスＧ、この実施例の場合、ＣＧＳ（コージェネレーションシステム）用ガスの消費量に対する発電機４の予想発電出力であり、また、予想排熱回収効率ηhiは、ＣＧＳ用ガスの消費量に対する熱媒１６の予想回収吸熱量である。即ち、予想発電効率ηeiは、ＣＧＳ用ガスがどれだけ電力に変換されるか、予想排熱回収効率ηhiは、ＣＧＳ用ガスがどれだけ熱回収されるかの予想値を示している。
【００３８】
そして、各予想効率ηei、ηhiの演算の後、ステップＳ１３では、次式の演算処理を実行する。
【００３９】
【数５】
0003839714.tif 000005
【００４０】
ただし、式（４）において、
ηei：予想発電効率
ηhi：予想排熱回収効率
ηBU：バックアップ熱量効率
Ａ：ＣＧＳ用ガス料金（円／ｋＷｈ）
Ｂ：電力料金（円／ｋＷｈ）
Ｃ：バックアップ用ガス料金（円／ｋＷｈ）
である。
【００４１】
式（４）において、（Ｅi ／ηei×Ａ）は、Ｅi 及びＡからなる値に予想発電効率ηeiが加味された予想電力１（ｋＷｈ）当たりのＣＧＳ用ガス料金を表し、（Ｅi ／ηei×Ａ−Ｂ）は、予想電力１（ｋＷｈ）当たりのＣＧＳ用ガス料金と予想電力１（ｋＷｈ）当たりの電力料金との差額であり、左辺の分子は、その加算値である。また、（Ｅi ×ηhi／ηei）は、電力負荷学習値Ｅi に予想発電効率ηeiと予想排熱回収効率ηhiとの比率が加味されて修正された電力負荷学習値であり、その左辺の分母はその加算値である。
【００４２】
そして、左辺は、コージェネレーションシステムで１ｋＷｈに相当する熱量を実現するに必要なエネルギの予想価額を示し、右辺は、バックアップ熱源であるバーナ２８で１ｋＷｈに相当する熱量を実現するに必要なエネルギの価額である。
【００４３】
このような価額の比較に基づき、左辺の値が右辺の値より小さい場合には、ステップＳ１４に移行してエンジン６が選択されて起動され、左辺の値が右辺の値より大きい場合には、ステップＳ１５に移行してバーナ２８が選択されて点火されることになる。
【００４４】
次に、図６に示すフローチャートを参照して熱交換システムの熱源選択方法の第３実施例を説明する。この選択方法では、貯湯タンク３４に温水２２を溜めると、自然放熱損失を生じるので、その放熱量を加味した熱源の選択制御を実現したものである。
【００４５】
ステップＳ２１では、上述した制御と同様に、制御部１０に加えられる流量情報や温度情報等を参照して熱負荷３８、４４に代表される熱負荷があるか否かを判定し、熱負荷が存在する場合にはステップＳ２２に移行し、電力負荷学習値Ｅi より各時間の予想発電効率ηei、予想排熱回収効率ηhi、エンジン６の排熱量Ｑi を求める。
【００４６】
この場合、電力負荷２の学習値Ｅi については、上述の通りであり、予想発電効率ηei及び予想排熱回収効率ηhiについても同様であるが、排熱量Ｑi は、熱交換器１２に入る熱媒１６の入側温度Ｔｉと出側温度Ｔｏを測定し、その流量Ｆを用いて、Ｑi ＝Ｆ×（Ｔｏ−Ｔｉ）から求めることができる。
【００４７】
ステップＳ２３では、次の給湯負荷が発生するまでの時間ｔを求め、ステップＳ２４では、時間ｔまでの予測積算排熱量ΣＱi を求め、ステップＳ２５では、時間ｔまでに貯湯タンク３４に温水２２によって溜まる熱量ΣＱｔi を求め、この熱量ΣＱｔi は、熱量ΣＱi から暖房負荷Ｑを減算した値（ΣＱi −Ｑ）である。この熱量ΣＱｔi （＝ΣＱi −Ｑ）は貯湯タンク３４に残留する熱量である。
【００４８】
また、ステップＳ２６では、貯湯タンク３４の放熱量の予測値ＱL を求める。この予測値ＱL は、貯湯タンク３４の放熱損失であるから、貯湯タンク３４の表面積や外気温等を参照して求めることができる。この予測値ＱL と熱量ΣＱｔi との関係は、図７に示すように、蓄熱量が多くなれば、その放熱量も多くなるという一定の比例関係にある。
【００４９】
そして、ステップＳ２７では、次式の演算処理を実行する。
【００５０】
【数６】
0003839714.tif 000006
【００５１】
ただし、式（５）において、
ηei：予想発電効率
ηBU：バックアップ熱量効率
Ａ：ＣＧＳ用ガス料金（円／ｋＷｈ）
Ｂ：電力料金（円／ｋＷｈ）
Ｃ：バックアップ用ガス料金（円／ｋＷｈ）
Ｑi ：排熱量
ＱL ：放熱量の予測値
である。
【００５２】
式（５）において、（Ｅi ／ηei×Ａ）は、Ｅi 及びＡからなる値に予想発電効率ηeiが加味された予想電力１（ｋＷｈ）当たりのＣＧＳ用ガス料金を表し、（Ｅi ／ηei×Ａ−Ｂ）は、予想電力１（ｋＷｈ）当たりのＣＧＳ用ガス料金と予想電力１（ｋＷｈ）当たりの電力料金との差額であり、左辺の分子は、その加算値である。また、ΣＱi は予測積算排熱量であり、ＱL は放熱量の予測値であるから、左辺の分母は、貯湯タンク３４に残留する熱量である。したがって、左辺は、コージェネレーションシステムで１ｋＷｈに相当する熱量を実現するに必要なエネルギの予想価額を示し、右辺は、バックアップ熱源であるバーナ２８で１ｋＷｈに相当する熱量を実現するに必要なエネルギの価額である。
【００５３】
このような価額の比較に基づき、左辺の値が右辺の値より小さい場合には、ステップＳ２８に移行してエンジン６が選択されて起動され、左辺の値が右辺の値より大きい場合には、ステップＳ２９に移行してバーナ２８が選択されて点火されることになる。
【００５４】
次に、図８は他の熱交換システムを示しており、この熱交換システムでは、熱交換器３０を循環路２０側から循環路３６に移し、循環路３６側の温水２２を第２の熱源であるバーナ２８の燃焼熱によって加熱する構成である。この場合、貯湯タンク３４側の温水２２の加熱ないし蓄熱はエンジン６の排熱に依存し、バーナ２８はバックアップ熱源、補助熱源として構成したものである。その他の構成は、図１の熱交換システムと同様であるので、同一の符号を付してその説明を省略する。このような熱交換システムにも、本発明の熱源選択方法を実施することができる。
【００５５】
実施例では、熱交換器２６を設置することにより、循環路１４と循環路２０とを独立化して異なる熱媒１６、温水２２を分離しながら熱交換を行っているが、熱交換器２６を除いて循環路１４、２０を共通化し、熱媒１６を熱交換器１２に循環させて熱交換を行うとともに、貯湯タンク３４に溜めることによって蓄熱を行うことができ、実施例のように、２つの流体を用いることなく、単一の流体を以て熱交換と蓄熱とを行うようにしてもよい。
【００５６】
【発明の効果】
以上説明したように、本発明によれば、発電機を駆動する駆動源の排熱を用いる熱源等、電力エネルギの発生を伴う熱源と、熱エネルギのみを発生する熱源とを併用する場合に経済性により熱源の選択運転をすることができ、熱交換及び蓄熱制御の高効率化を図ることができるとともに、経済的ロスを低減することができる。
【図面の簡単な説明】
【図１】本発明に係る熱交換システムの実施例を示すブロック図である。
【図２】本発明の熱交換システムの熱源選択方法の第１実施例を示すフローチャートである。
【図３】効率対負荷率を示す図である。
【図４】本発明の熱交換システムの熱源選択方法の第２実施例を示すフローチャートである。
【図５】電力負荷学習値を示す図である。
【図６】本発明の熱交換システムの熱源選択方法の第３実施例を示すフローチャートである。
【図７】放熱量の予測値に対するタンク蓄熱量を示す図である。
【図８】本発明に係る熱交換システムの他の実施例を示すブロック図である。
【符号の説明】
２  電力負荷
４  発電機
６  エンジン（第１の熱源）
１２  熱交換器（第１の熱交換手段）
１６  熱媒（流体）
２２  温水（流体）
３０  熱交換器（第２の熱交換手段）
２８  バーナ（第２の熱源）
３４  貯湯タンク（蓄熱手段）
３８、４４  熱負荷
【図１】
0003839714.tif 000008
【図２】
0003839714.tif 000009
【図３】
0003839714.tif 000010
【図４】
0003839714.tif 000011
【図５】
0003839714.tif 000012
【図６】
0003839714.tif 000013
【図７】
0003839714.tif 000014
【図８】
0003839714.tif 000015